(57)【特許請求の範囲】
【請求項１】
印刷命令に応じて印刷動作を実行する印刷装置と、
ＩＤコードを記憶してこのＩＤコードのＲＦ送信と報知信号のＲＦ受信とを行うＲＦ−ＩＤ素子と受信した報知信号に応じて報知動作を行う報知器とを内蔵するＩＤカードと、を備え、前記印刷装置は、
前記ＩＤカードの前記ＲＦ−ＩＤ素子との間でＲＦ通信を行うＲＦ通信装置と、
印刷動作終了時に前記ＲＦ通信装置が前記ＲＦ―ＩＤ素子から前記ＩＤコードを読み取っているかどうかを判定する判定手段と、
前記ＲＦ通信装置が前記ＲＦ―ＩＤ素子から前記ＩＤコードを読み取っていないと前記判定手段が判定した場合、前記ＲＦ通信装置の送信出力を上げて前記ＩＤカードに報知信号を送信出力する報知手段と、を備える印刷システム。
【請求項２】
印刷命令に応じて印刷動作を実行する印刷装置と、
ＩＤコードを記憶してこのＩＤコードのＲＦ送信と報知信号のＲＦ受信とを行うＲＦ−ＩＤ素子と受信した報知信号に応じて報知動作を行う報知器とを内蔵するＩＤカードと、を備え、前記印刷装置は、
前記ＩＤカードの前記ＲＦ−ＩＤ素子との間でＲＦ通信を行うＲＦ通信装置と、
印刷動作終了時に前記ＲＦ通信装置が前記ＲＦ―ＩＤ素子から前記ＩＤコードを読み取っているかどうかを判定する判定手段と、
前記ＲＦ通信装置が前記ＲＦ―ＩＤ素子から前記ＩＤコードを読み取っていないと前記判定手段が判定した場合、前記ＲＦ通信装置の送信周波数を電波がより遠くまで届くような周波数に変更して前記ＩＤカードに報知信号を送信出力する報知手段と、を備える印刷システム。
【請求項３】
前記報知器は、音声による報知動作を行う請求項１又は２記載の印刷システム。
【請求項４】
前記報知器は、振動による報知動作を行う請求項１又は２記載の印刷システム。
【請求項５】
印刷命令に応じて印刷動作を実行する印刷装置において、
ＩＤコードを記憶してこのＩＤコードのＲＦ送信と報知信号のＲＦ受信とを行うＲＦ−ＩＤ素子と受信した報知信号に応じて報知動作を行う報知器とを内蔵するＩＤカードの前記ＲＦ−ＩＤ素子との間でＲＦ通信を行うＲＦ通信装置と、
印刷動作終了時に前記ＲＦ通信装置が前記ＲＦ―ＩＤ素子から前記ＩＤコードを読み取っているかどうかを判定する判定手段と、
前記ＲＦ通信装置が前記ＲＦ―ＩＤ素子から前記ＩＤコードを読み取っていないと前記判定手段が判定した場合、前記ＲＦ通信装置の送信出力を上げて前記ＩＤカードに報知信号を送信出力する報知手段と、を備える印刷装置。
【請求項６】
印刷命令に応じて印刷動作を実行する印刷装置において、
ＩＤコードを記憶してこのＩＤコードのＲＦ送信と報知信号のＲＦ受信とを行うＲＦ−ＩＤ素子と受信した報知信号に応じて報知動作を行う報知器とを内蔵するＩＤカードの前記ＲＦ−ＩＤ素子との間でＲＦ通信を行うＲＦ通信装置と、
印刷動作終了時に前記ＲＦ通信装置が前記ＲＦ―ＩＤ素子から前記ＩＤコードを読み取っているかどうかを判定する判定手段と、
前記ＲＦ通信装置が前記ＲＦ―ＩＤ素子から前記ＩＤコードを読み取っていないと前記判定手段が判定した場合、前記ＲＦ通信装置の送信周波数を電波がより遠くまで届くような周波数に変更して前記ＩＤカードに報知信号を送信出力する報知手段と、を備える印刷装置。
【発明の詳細な説明】
【０００１】
【発明の属する技術分野】
本発明は、印刷システム、及びこの印刷システムに含まれる印刷装置に関する。
【０００２】
【従来の技術】
孔版印刷装置等の印刷装置においては、マスタが装置内に残ったままであると、そのマスタに基いて何枚でも印刷が可能となる。このため、試験問題等の極秘原稿を印刷した後、マスタが装置内に残ったままである場合には、同じマスタを用いて不正に印刷が行われてしまう可能性がある。このようなことから、従来、印刷装置には、シークレットモードと称されるような動作モードを設定することができる機種がある。ここでのシークレットモードというのは、印刷動作終了後、シークレットモードに設定することで、マスタが装置内に残されたままであったとしても、そのマスタによる印刷動作を禁止するような動作モードを意味する。
【０００３】
【発明が解決しようとする課題】
上述したようなシークレットモードは、印刷動作終了後に設定され、印刷動作後に装置内に残されたままのマスタによる印刷動作を禁止するような動作モードである。このため、印刷動作中にオペレータがその場から立ち去り、その者が印刷動作終了後も長い時間戻ってこないような状況では、シークレットモードそのものが機能しない。よって、そのような状況においては、印刷動作終了後の印刷物の盗難が生じたり、同じマスタによる不正な印刷が行われてしまったりすることがあるという問題がある。もっとも、このような問題は、印刷動作中、オペレータが印刷装置を離れないようにすれば生ずることもないが、それでは、印刷枚数が大量である場合にオペレータの作業効率が極めて悪くなってしまう。
【０００４】
本発明の目的は、印刷中にオペレータがその場を離れた場合であっても、印刷動作終了後の印刷物の盗難や、同じマスタによる不正な印刷を有効に防止することである。
【０００５】
【課題を解決するための手段】
請求項１記載の印刷システムの発明は、印刷命令に応じて印刷動作を実行する印刷装置と、ＩＤコードを記憶してこのＩＤコードのＲＦ送信と報知信号のＲＦ受信とを行うＲＦ−ＩＤ素子と受信した報知信号に応じて報知動作を行う報知器とを内蔵するＩＤカードとを備え、印刷装置は、ＩＤカードのＲＦ−ＩＤ素子との間でＲＦ通信を行うＲＦ通信装置と、印刷動作終了時にＲＦ通信装置がＲＦ―ＩＤ素子からＩＤコードを読み取っているかどうかを判定する判定手段と、ＲＦ通信装置がＲＦ―ＩＤ素子からＩＤコードを読み取っていないと判定手段が判定した場合、ＲＦ通信装置の送信出力を上げてＩＤカードに報知信号を送信出力する報知手段とを備える。ここで、ＲＦ−ＩＤ素子のＲＦ−ＩＤというのは、「Radio Frequency Identification」の略称である。このようなＲＦ−ＩＤは、小型の記録媒体（データキャリア）とリーダライタとの組み合わせにより、電波を使って個体の識別やデータの送受信を行うシステムである。こうしたＲＦ―ＩＤの概念は、本明細書全体を通じて同様である。
【０００６】
したがって、ＩＤカードの所持者が印刷装置に近づくことでそのＩＤカードに内蔵されているＲＦ−ＩＤ素子が記憶するＩＤコードがＲＦ通信装置に読み取られる。そして、印刷動作終了時、判定手段はＲＦ通信装置がＲＦ―ＩＤ素子からＩＤコードを読み取っているかどうかを判定し、ＩＤコードを読み取っていないという判定がなされた場合には、報知手段がＲＦ通信装置の送信出力を上げてＩＤカードに報知信号を送信出力する。これにより、ＩＤカードの所持者が印刷装置から離れた場所にいても、そのＩＤカードが内蔵するＲＦ−ＩＤ素子が報知信号を受信し、ＩＤカードでは報知器による報知動作が行われる。
【０００７】
請求項２記載の印刷システムの発明は、印刷命令に応じて印刷動作を実行する印刷装置と、ＩＤコードを記憶してこのＩＤコードのＲＦ送信と報知信号のＲＦ受信とを行うＲＦ−ＩＤ素子と受信した報知信号に応じて報知動作を行う報知器とを内蔵するＩＤカードとを備え、印刷装置は、ＩＤカードのＲＦ−ＩＤ素子との間でＲＦ通信を行うＲＦ通信装置と、印刷動作終了時にＲＦ通信装置がＲＦ―ＩＤ素子からＩＤコードを読み取っているかどうかを判定する判定手段と、ＲＦ通信装置がＲＦ―ＩＤ素子からＩＤコードを読み取っていないと判定手段が判定した場合、ＲＦ通信装置の送信周波数を電波がより遠くまで届くような周波数に変更してＩＤカードに報知信号を送信出力する報知手段とを備える。
【０００８】
したがって、ＩＤカードの所持者が印刷装置に近づくことでそのＩＤカードに内蔵されているＲＦ−ＩＤ素子が記憶するＩＤコードがＲＦ通信装置に読み取られる。そして、印刷動作終了時、判定手段はＲＦ通信装置がＲＦ―ＩＤ素子からＩＤコードを読み取っているかどうかを判定し、ＩＤコードを読み取っていないという判定がなされた場合には、報知手段がＲＦ通信装置の送信周波数を変更してＩＤカードに報知信号を送信出力する。これにより、ＩＤカードの所持者が印刷装置から離れた場所にいても、そのＩＤカードが内蔵するＲＦ−ＩＤ素子が報知信号を受信し、ＩＤカードでは報知器による報知動作が行われる。
【０００９】
請求項３記載の発明は、請求項１又は２記載の印刷システムにおいて、報知器は、音声による報知動作を行う。したがって、印刷装置から離れた場所にいるＩＤカードの所持者に対し、音声による印刷動作終了の報知がなされる。
【００１０】
請求項４記載の発明は、請求項１又は２記載の印刷システムにおいて、報知器は、振動による報知動作を行う。したがって、印刷装置から離れた場所にいるＩＤカードの所持者に対し、振動による印刷動作終了の報知がなされる。
【００１１】
請求項５記載の発明は、印刷命令に応じて印刷動作を実行する印刷装置において、ＩＤコードを記憶してこのＩＤコードのＲＦ送信と報知信号のＲＦ受信とを行うＲＦ−ＩＤ素子と受信した報知信号に応じて報知動作を行う報知器とを内蔵するＩＤカードのＲＦ−ＩＤ素子との間でＲＦ通信を行うＲＦ通信装置と、印刷動作終了時にＲＦ通信装置がＲＦ―ＩＤ素子からＩＤコードを読み取っているかどうかを判定する判定手段と、ＲＦ通信装置がＲＦ―ＩＤ素子からＩＤコードを読み取っていないと判定手段が判定した場合、ＲＦ通信装置の送信出力を上げてＩＤカードに報知信号を送信出力する報知手段と、を備える。
【００１２】
したがって、ＩＤカードの所持者が印刷装置に近づくことでそのＩＤカードに内蔵されているＲＦ−ＩＤ素子が記憶するＩＤコードがＲＦ通信装置に読み取られる。そして、印刷動作終了時、判定手段はＲＦ通信装置がＲＦ―ＩＤ素子からＩＤコードを読み取っているかどうかを判定し、ＩＤコードを読み取っていないという判定がなされた場合には、報知手段がＲＦ通信装置の送信出力を上げてＩＤカードに報知信号を送信出力する。これにより、ＩＤカードの所持者が印刷装置から離れた場所にいても、そのＩＤカードが内蔵するＲＦ−ＩＤ素子が報知信号を受信し、ＩＤカードでは報知器による報知動作が行われる。
【００１３】
請求項６記載の発明は、印刷命令に応じて印刷動作を実行する印刷装置において、ＩＤコードを記憶してこのＩＤコードのＲＦ送信と報知信号のＲＦ受信とを行うＲＦ−ＩＤ素子と受信した報知信号に応じて報知動作を行う報知器とを内蔵するＩＤカードのＲＦ−ＩＤ素子との間でＲＦ通信を行うＲＦ通信装置と、印刷動作終了時にＲＦ通信装置がＲＦ―ＩＤ素子からＩＤコードを読み取っているかどうかを判定する判定手段と、ＲＦ通信装置がＲＦ―ＩＤ素子からＩＤコードを読み取っていないと判定手段が判定した場合、ＲＦ通信装置の送信周波数を電波がより遠くまで届くような周波数に変更してＩＤカードに報知信号を送信出力する報知手段と、を備える。ここで、ＲＦ通信装置の送信周波数の変更は、電波がより遠くまで届くような周波数への変更を意味する。
【００１４】
したがって、ＩＤカードの所持者が印刷装置に近づくことでそのＩＤカードに内蔵されているＲＦ−ＩＤ素子が記憶するＩＤコードがＲＦ通信装置に読み取られる。そして、印刷動作終了時、判定手段はＲＦ通信装置がＲＦ―ＩＤ素子からＩＤコードを読み取っているかどうかを判定し、ＩＤコードを読み取っていないという判定がなされた場合には、報知手段がＲＦ通信装置の送信周波数を変更してＩＤカードに報知信号を送信出力する。これにより、ＩＤカードの所持者が印刷装置から離れた場所にいても、そのＩＤカードが内蔵するＲＦ−ＩＤ素子が報知信号を受信し、ＩＤカードでは報知器による報知動作が行われる。
【００１８】
【発明の実施の形態】
本発明の第一の実施形態を図１ないし図５に基づいて説明する。図１は、システム全体の概略ブロック図である。本実施の形態の印刷システムは、複数台の複写装置１及び複数台の印刷装置２がＬＡＮ制御装置３を介してホストコンピュータ４や複数台のパーソナルコンピュータ５にＬＡＮ接続されている。つまり、ＬＡＮ制御装置３は、ハブやルータ等によって構成され、ホストコンピュータ４とパーソナルコンピュータ５と複写装置１と印刷装置２との間での通信を可能としている。そして、ホストコンピュータ４にはデータベース６が構築されている。
【００１９】
図２は、ＲＦ−ＩＤシステムの概要を説明するための模式図である。本実施の形態の印刷システムでは、印刷装置２とそれらのオペレータ７との間でＲＦ−ＩＤによる個体の識別及びデータの送受信を行う。ＲＦ−ＩＤは、例えば特開平１０−２７３２０８号公報等にも紹介されているような周知の技術であるので、その説明は省略する。
【００２０】
本実施の形態では、ホストコンピュータ４にＬＡＮ接続された印刷装置２にＲＦ通信装置８が内蔵され、オペレータ７が身に付けているＩＤカードとしての社員証９に内蔵されているＲＦ−ＩＤ素子１０とＲＦ通信装置８との間でＲＦ通信を行うよう構成されている。つまり、図３の印刷装置２の概略ブロック図に示すように、印刷装置２は、画像読取部１１と画像形成部１２とを備え、これらの画像読取部１１及び画像形成部１２を駆動制御する駆動制御回路１３を備える。この駆動制御回路１３は、マイクロコンピュータによって構成され、このマイクロコンピュータのＲＯＭに格納された動作プログラムに従い各種の制御動作を実行する。例えば、画像読取部１１による画像読取動作、画像形成部１２による読取画像の印刷動作等が実行される。このような画像読取動作及び印刷動作は、印刷装置２のスタートボタン１４の押下をトリガとしてマイクロコンピュータの制御により実行される。もっとも、印刷動作は、印刷装置２にＬＡＮ接続されたパーソナルコンピュータ５等からの指令を通信回路１５で受信することによって開始されるような構成であってもよい。そして、図２に示すように、印刷装置２のフロントパネル１６には、前述したスタートボタン１４の他に、テンキー１７及びタッチパネル１８も配置されている。また、印刷装置２が内蔵する駆動制御回路１３にはＬＡＮ用の通信回路１５及びＲＦ通信装置８も接続されており、これらのような印刷装置２における各部８，１１，１２，１３，１５は、電源回路１９からの給電によって動作する。ここで、ＲＦ通信装置８は、信号のＲＦ通信出力が高低二段階に可変自在である。このようなＲＦ通信装置８におけるＲＦ通信出力の切り替えは、駆動制御回路１３の制御の下に実行される。また、駆動制御回路１３を構成するマイクロコンピュータは、そのメモリ内に印刷動作を許可することができるＩＤコードを記憶保持している。
【００２１】
図３には印刷装置２の例を示したが、複写装置１もほぼ同一のブロック構成となっている。
【００２２】
次いで、図４のＲＦ−ＩＤ素子１０の概略ブロック図に示すように、ＲＦ−ＩＤ素子１０は、ＥＥＰＲＯＭ２０が接続された制御回路２１にＲＦ回路２２と報知回路２３とが接続されて構成されている。ＲＦ回路２２は、電波通信を実現するためのアナログ回路であり、制御回路２１はＲＦ回路２２を介して送受信されたデータを処理するデジタル回路である。ＥＥＰＲＯＭ２０には、ＲＦ−ＩＤ素子１０を内蔵する社員証９の持ち主のＩＤコードが記憶保持されている。そして、報知回路２３には、ブザー２４が接続されている。このような報知回路２３は、制御回路２１からの報知信号が入力されることでブザー２４を駆動して音声報知を行う。そこで、本実施の形態では、報知回路２３とブザー２４とによって報知器が構成されている。
【００２３】
このような印刷システムにおいて、オペレータ７である社員が複写や印刷を意図して複写装置１や印刷装置２に近づいた場合、複写装置１や印刷装置２の駆動制御回路１３はＲＦ通信装置８を駆動し、社員証９に内蔵されたＲＦ−ＩＤ素子１０内のＲＦ回路２２に対して質問データをＲＦ送信する。社員証９に内蔵されたＲＦ―ＩＤ素子１０は、その質問データに呼応し、ＥＥＰＲＯＭ２０内に記憶保存されているＩＤコードをＲＦ回路２２によってＲＦ送信する。すると、複写装置１や印刷装置２は、応答データであるＩＤコードを受信し、このＩＤコードが登録されたＩＤコードである場合に複写動作又は印刷動作を許可する。
【００２４】
次いで、複写装置１では行われない印刷装置２に特有の処理として、図５のフローチャートに示す処理が行われる。印刷装置２では、印刷動作開始前にＲＦ通信装置８によって受信した応答データであるＩＤコードを駆動制御回路１３内のレジスト領域に一時保存する。そして、図５に示す処理は、印刷動作後において印刷動作が終了したかどうかを判定する処理（ステップＳ１）から開始される。印刷動作が終了したと判定された場合（ステップＳ１のＹ）、印刷装置２は、社員証９に内蔵されたＲＦ−ＩＤ素子１０内のＲＦ回路２２に対して質問データをＲＦ送信する（ステップＳ２）。この質問データに応じてＲＦ―ＩＤ素子１０から応答データが返ってきた場合（ステップＳ３のＹ）、応答データに含まれているＩＤコードが駆動制御回路１３内のレジスト領域に一時保存されているＩＤコードと一致するかどうかが判定される（ステップＳ４）。ＩＤコードが一致すると判定された場合には（ステップＳ４のＹ）、その印刷装置２に印刷命令操作を行ったオペレータがその場にいることになるので、そのまま処理を終了する。これに対し、ステップＳ２での質問データに応じて応答データが返ってこないと判定された場合には（ステップＳ３のＮ）、印刷装置２の近傍に社員証９を保持する者が誰もいないことになる。また、ステップＳ３のＹで印刷装置２に返された応答データに含まれているＩＤコードが駆動制御回路１３内のレジスト領域に一時保存されているＩＤコードと一致しないと判定された場合には（ステップＳ４のＮ）、印刷装置２の近傍に印刷命令操作を行ったオペレータではない者がいることになる。このように、ステップＳ２〜４の処理によって、印刷動作終了時にＲＦ通信装置８がＲＦ―ＩＤ素子１０からＩＤコードを読み取っているかどうかを判定する判定手段の機能が実行される。
【００２５】
印刷動作終了時にＲＦ通信装置８がＲＦ―ＩＤ素子１０からＩＤコードを読み取っていないと判定された場合（ステップＳ３のＮ又はステップＳ４のＮ）、駆動制御回路１３は、ＲＦ通信出力を高い方の出力とするための信号をＲＦ通信装置８に送り、ＲＦ通信装置８から報知信号をＲＦ送信出力させる（ステップＳ５：報知手段）。すると、印刷装置２に印刷命令操作を行ったオペレータが所持する社員証９に内蔵されたＲＦ−ＩＤ素子１０内のＲＦ回路２２は報知信号を受信し、これに応じてＲＦ―ＩＤ素子１０内の制御回路２１は報知回路２３に報知信号を出力する。これにより、報知回路２３にブザー２４が駆動され、その社員証９を所持するオペレータに対してブザー２４による音声報知がなされる。こうして、印刷動作終了時に印刷命令操作を行ったオペレータが印刷装置を離れている場合、そのオペレータに印刷動作が終了したことを示す報知がなされ、印刷動作終了時にオペレータが印刷装置を離れている場合に生ずることがある印刷物の盗難や同一マスタを使用する不正な印刷を防止することができる。
【００２６】
なお、本実施の形態では、図５のフローチャート中のステップＳ５においてＲＦ通信装置８のＲＦ通信出力を高くする処理を行うが、実施にあたっては、ＲＦ通信装置８の送信周波数を変更し、電波がより遠くまで届くように設定しても良い。
【００２７】
本発明の第二の実施の形態を図６に基いて説明する。第一の実施の形態と同一部分は同一符号で示し説明も省略する。図６は、社員証９が内蔵するＲＦ―ＩＤ素子１０の概略ブロック図である。本実施の形態では、ＲＦ―ＩＤ素子１０において、報知回路２３及びブザー２４が設けられず、これらに代えて報知器としての振動発生器３１が制御回路２１に接続されている。その振動発生器３１は、制御回路２１から報知信号が出力されることで振動を発生する構造のものである。
【００２８】
このような構成において、印刷装置２において図５のフローチャート中のステップＳ５の処理が実行された場合、社員証９に内蔵されたＲＦ−ＩＤ素子１０内のＲＦ回路２２は報知信号を受信し、これに応じてＲＦ―ＩＤ素子１０内の制御回路２１は振動発生器３１に報知信号を出力する。これにより、振動発生器３１が駆動され、その社員証９を所持するオペレータに対して印刷動作が終了したことを知らせる振動による報知がなされる。
【００２９】
なお、ＲＦ通信装置８は、印刷装置２と一体に設けられていても、別体に設けられていても、あるいは、別体で設けられて離間した位置に配置されていても、いずれでも良い。
【００３０】
【発明の効果】
請求項１記載の印刷システムの発明は、ＩＤコードを記憶してこのＩＤコードのＲＦ送信と報知信号のＲＦ受信とを行うＲＦ−ＩＤ素子と受信した報知信号に応じて報知動作を行う報知器とを内蔵するＩＤカードと、このＩＤカードのＲＦ−ＩＤ素子との間でＲＦ通信を行うＲＦ通信装置を有して印刷命令に応じて印刷動作を実行する印刷装置とを備え、印刷動作終了時、印刷装置において、ＲＦ通信装置がＲＦ―ＩＤ素子からＩＤコードを読み取っているかどうかを判定し、ＩＤコードを読み取っていないという判定がなされた場合には、ＲＦ通信装置の送信出力を上げてＩＤカードに報知信号を送信出力するようにしたので、印刷動作終了時にＩＤカードの所持者が印刷装置から離れた場所にいても、ＩＤカードは内蔵するＲＦ−ＩＤ素子で報知信号を受信して報知器による報知動作を行うことができ、したがって、印刷動作終了時にオペレータが印刷装置を離れている場合に生ずることがある印刷物の盗難や同一マスタを使用する不正な印刷を防止することができる。
【００３１】
請求項２記載の印刷システムの発明は、ＩＤコードを記憶してこのＩＤコードのＲＦ送信と報知信号のＲＦ受信とを行うＲＦ−ＩＤ素子と受信した報知信号に応じて報知動作を行う報知器とを内蔵するＩＤカードと、このＩＤカードのＲＦ−ＩＤ素子との間でＲＦ通信を行うＲＦ通信装置を有して印刷命令に応じて印刷動作を実行する印刷装置とを備え、印刷動作終了時、印刷装置において、ＲＦ通信装置がＲＦ―ＩＤ素子からＩＤコードを読み取っているかどうかを判定し、ＩＤコードを読み取っていないという判定がなされた場合には、ＲＦ通信装置の送信周波数を電波がより遠くまで届くような周波数に変更してＩＤカードに報知信号を送信出力するようにしたので、印刷動作終了時にＩＤカードの所持者が印刷装置から離れた場所にいても、ＩＤカードは内蔵するＲＦ−ＩＤ素子で報知信号を受信して報知器による報知動作を行うことができ、したがって、印刷動作終了時にオペレータが印刷装置を離れている場合に生ずることがある印刷物の盗難や同一マスタを使用する不正な印刷を防止することができる。
【００３２】
請求項３記載の発明は、請求項１又は２記載の印刷システムにおいて、報知器が音声による報知動作を行うので、印刷装置から離れた場所にいるＩＤカードの所持者に対し、音声による印刷動作終了の報知を行うことができる。
【００３３】
請求項４記載の発明は、請求項１又は２記載の印刷システムにおいて、報知器が振動による報知動作を行うので、印刷装置から離れた場所にいるＩＤカードの所持者に対し、振動による印刷動作終了の報知を行うことができる。
【００３４】
請求項５記載の印刷装置の発明は、ＩＤコードを記憶してこのＩＤコードのＲＦ送信と報知信号のＲＦ受信とを行うＲＦ−ＩＤ素子と受信した報知信号に応じて報知動作を行う報知器とを内蔵するＩＤカードのＲＦ−ＩＤ素子との間でＲＦ通信を行うＲＦ通信装置を有し、印刷動作終了時、ＲＦ通信装置がＲＦ―ＩＤ素子からＩＤコードを読み取っているかどうかを判定し、ＩＤコードを読み取っていないという判定がなされた場合には、ＲＦ通信装置の送信出力を上げてＩＤカードに報知信号を送信出力するようにしたので、印刷動作終了時にＩＤカードの所持者が印刷装置から離れた場所にいても、ＩＤカードは内蔵するＲＦ−ＩＤ素子で報知信号を受信して報知器による報知動作を行うことができ、したがって、印刷動作終了時にオペレータが印刷装置を離れている場合に生ずることがある印刷物の盗難や同一マスタを使用する不正な印刷を防止することができる。
【００３５】
請求項６記載の印刷装置の発明は、ＩＤコードを記憶してこのＩＤコードのＲＦ送信と報知信号のＲＦ受信とを行うＲＦ−ＩＤ素子と受信した報知信号に応じて報知動作を行う報知器とを内蔵するＩＤカードのＲＦ−ＩＤ素子との間でＲＦ通信を行うＲＦ通信装置を有し、印刷動作終了時、ＲＦ通信装置がＲＦ―ＩＤ素子からＩＤコードを読み取っているかどうかを判定し、ＩＤコードを読み取っていないという判定がなされた場合には、ＲＦ通信装置の送信周波数を電波がより遠くまで届くような周波数に変更してＩＤカードに報知信号を送信出力するようにしたので、印刷動作終了時にＩＤカードの所持者が印刷装置から離れた場所にいても、ＩＤカードは内蔵するＲＦ−ＩＤ素子で報知信号を受信して報知器による報知動作を行うことができ、したがって、印刷動作終了時にオペレータが印刷装置を離れている場合に生ずることがある印刷物の盗難や同一マスタを使用する不正な印刷を防止することができる。
【図面の簡単な説明】
【図１】本発明の第一の実施の形態を示すシステム全体の概略ブロック図である。
【図２】ＲＦ−ＩＤシステムの概要を説明するための模式図である。
【図３】印刷装置の概略ブロック図である。
【図４】ＲＦ−ＩＤ素子の概略ブロック図である。
【図５】印刷動作終了時の処理を示すフローチャートである。
【図６】本発明の第二の実施の形態を示すＲＦ―ＩＤ素子の概略ブロック図である。
【符号の説明】
２            印刷装置
８            ＲＦ通信装置
９            ＩＤカード（社員証）
１０          ＲＦ−ＩＤ素子
２３，２４，３１        報知器（報知回路，ブザー，振動発生器）
Ｓ２〜４      判定手段
Ｓ５          報知手段
【図１】
0003780118.tif 000002
【図２】
0003780118.tif 000003
【図３】
0003780118.tif 000004
【図４】
0003780118.tif 000005
【図５】
0003780118.tif 000006
【図６】
0003780118.tif 000007